【手続補正書】
【提出日】平成30年7月17日(2018.7.17)
【手続補正１】
【補正対象書類名】明細書
【補正対象項目名】発明の名称
【補正方法】変更
【補正の内容】
【発明の名称】チャージポンプ、チャージポンプ出力電圧を発生させる方法、及び無線周波数システム
【手続補正２】
【補正対象書類名】特許請求の範囲
【補正対象項目名】全文
【補正方法】変更
【補正の内容】
【特許請求の範囲】
【請求項１】
チャージポンプであって、
複数のモードから選択された選択モードで前記チャージポンプを動作させるべく構成されたモード制御回路と、
前記選択モードに基づく発振周波数を有するチャージポンプクロック信号を発生させるべく構成されたクロック発生回路と、
２以上のスイッチトキャパシタと、
キャパシタ充電回路と
を含み、
前記キャパシタ充電回路は、前記キャパシタ充電回路の高電力供給電圧と前記チャージポンプクロック信号のタイミングとに基づいて前記２以上のスイッチトキャパシタを充電するべく構成され、
前記チャージポンプクロック信号は第１位相及び第２位相を有し、
前記２以上のスイッチトキャパシタは第１スイッチトキャパシタ及び第２スイッチトキャパシタを含み、
前記キャパシタ充電回路は、前記第１位相の間に前記第１スイッチトキャパシタの第１端を前記高電力供給電圧によって充電して前記第１スイッチトキャパシタの第２端を低電力供給電圧によって充電するべく構成されるとともに、前記第２位相の間に前記第２スイッチトキャパシタの第１端を前記高電力供給電圧によって充電して前記第２スイッチトキャパシタの第２端を前記低電力供給電圧によって充電するべく構成され、
前記高電力供給電圧は前記選択モードに基づく電圧レベルを有するチャージポンプ。
【請求項２】
チャージポンプフィルタをさらに含み、
前記チャージポンプフィルタは、前記チャージポンプのチャージポンプ出力電圧をフィルタリングするべく構成され、
前記チャージポンプフィルタは前記選択モードに基づくフィルタリング特性を有する請求項１のチャージポンプ。
【請求項３】
前記フィルタリング特性は前記チャージポンプフィルタの抵抗を含む請求項２のチャージポンプ。
【請求項４】
前記キャパシタ充電回路は、前記選択モードに基づいて２以上の高電力供給電圧から前記キャパシタ充電回路の高電力供給電圧を選択するべく構成された複数の電力供給選択スイッチを含む請求項１のチャージポンプ。
【請求項５】
前記クロック発生回路は、
第１クロック信号を発生させるべく構成された第１クロック発生器と、
前記第１クロック信号よりも低速の発振周波数を有する第２クロック信号を発生させるべく構成された第２クロック発生器と、
前記第１クロック信号及び前記第２クロック信号を含む複数のクロック信号の中から一つを選択することに基づいて前記チャージポンプクロック信号を発生させるべく構成されたクロック選択回路と
を含む請求項１のチャージポンプ。
【請求項６】
前記キャパシタ充電回路は、
前記第１位相の間に前記第１スイッチトキャパシタの第２端を前記低電力供給電圧に電気的に接続するべく構成された第１チャージポンプスイッチと、
前記第２位相の間に前記第１スイッチトキャパシタの第２端をチャージポンプ出力に電気的に接続するべく構成された第２チャージポンプスイッチと、
前記第２位相の間に前記第２スイッチトキャパシタの第２端を前記低電力供給電圧に電気的に接続するべく構成された第３チャージポンプスイッチと、
前記第１位相の間に前記第２スイッチトキャパシタの第２端を前記チャージポンプ出力に電気的に接続するべく構成された第４チャージポンプスイッチと
を含む請求項１のチャージポンプ。
【請求項７】
前記キャパシタ充電回路はさらに、前記第２位相の間に前記第１スイッチトキャパシタの第１端を前記低電力供給電圧に電気的に接続するべく、かつ、前記第１位相の間に前記第２スイッチトキャパシタの第１端を前記低電力供給電圧に電気的に接続するべく構成される請求項６のチャージポンプ。
【請求項８】
前記２以上のモードは少なくとも３つのモードを含む請求項１のチャージポンプ。
【請求項９】
チャージポンプ出力電圧を発生させる方法であって、
モード制御回路を使用することによりチャージポンプの動作モードを、複数のモードから選択された選択モードとして選択することと、
クロック発生回路を使用することにより前記選択モードに基づいてチャージポンプクロック信号の周波数を制御することと、
キャパシタ充電回路を使用することにより２以上のスイッチトキャパシタを、前記キャパシタ充電回路の高電力供給電圧と前記チャージポンプクロック信号のタイミングとに基づいて充電することと、
前記選択モードに基づいて前記キャパシタ充電回路の高電力供給電圧の電圧レベルを制御することと
を含み、
前記チャージポンプクロック信号は第１位相及び第２位相を有し、
前記充電することは、前記第１位相の間に第１スイッチトキャパシタの第１端を前記高電力供給電圧によって充電して前記第１スイッチトキャパシタの第２端を低電力供給電圧によって充電することと、前記第２位相の間に第２スイッチトキャパシタの第１端を前記高電力供給電圧によって充電して前記第２スイッチトキャパシタの第２端を前記低電力供給電圧によって充電することとを含む方法。
【請求項１０】
前記選択モードに基づいてチャージポンプフィルタの抵抗を制御することをさらに含む請求項９の方法。
【請求項１１】
異なる周波数を有する複数のクロック信号を発生させることと、
前記複数のクロック信号の中から一つを選択して前記チャージポンプクロック信号を発生させることと
をさらに含む請求項９の方法。
【請求項１２】
前記高電力供給電圧の電圧レベルを制御することは、前記高電力供給電圧を、前記選択モードに基づいて２以上の高電力供給電圧から選択することを含む請求項９の方法。
【請求項１３】
前記第２位相の間に前記第１スイッチトキャパシタの第２端をチャージポンプ出力に電気的に接続するとともに、前記第１位相の間に前記第２スイッチトキャパシタの第２端を前記チャージポンプ出力に電気的に接続することをさらに含む請求項９の方法。
【請求項１４】
無線周波数システムであって、
増幅された無線周波数信号を発生させるべく構成された電力増幅器と、
前記増幅された無線周波数信号を受信するべく構成された入力部を含むスイッチと、
チャージポンプ出力電圧を受けるべくかつ前記スイッチの状態を制御するべく構成されたスイッチ制御器と、
前記チャージポンプ出力電圧を発生させるべく構成されたチャージポンプと
を含み、
前記チャージポンプは、複数のモードから選択された選択モードで前記チャージポンプを動作させるべく構成されたモード制御回路を含み、
前記チャージポンプはさらに、前記選択モードに基づく発振周波数を有するチャージポンプクロック信号を発生させるべく構成されたクロック発生回路を含み、
前記チャージポンプはさらに、
２以上のスイッチトキャパシタと、
キャパシタ充電回路と
を含み、
前記キャパシタ充電回路は、前記キャパシタ充電回路の高電力供給電圧と前記チャージポンプクロック信号のタイミングとに基づいて前記２以上のスイッチトキャパシタを充電するべく構成され、
前記チャージポンプクロック信号は第１位相及び第２位相を有し、
前記２以上のスイッチトキャパシタは第１スイッチトキャパシタ及び第２スイッチトキャパシタを含み、
前記キャパシタ充電回路は、前記第１位相の間に前記第１スイッチトキャパシタの第１端を前記高電力供給電圧によって充電して前記第１スイッチトキャパシタの第２端を低電力供給電圧によって充電するべく構成されるとともに、前記第２位相の間に前記第２スイッチトキャパシタの第１端を前記高電力供給電圧によって充電して前記第２スイッチトキャパシタの第２端を前記低電力供給電圧によって充電するべく構成され、
前記高電力供給電圧は前記選択モードに基づく電圧レベルを有する無線周波数システム。
【請求項１５】
前記チャージポンプはさらに、前記チャージポンプ出力電圧をフィルタリングするべく構成されたチャージポンプフィルタを含み、
前記チャージポンプフィルタは前記選択モードに基づくフィルタリング特性を有する請求項１４の無線周波数システム。
【請求項１６】
前記フィルタリング特性は前記チャージポンプフィルタのフィルタ抵抗を含む請求項１５の無線周波数システム。
【請求項１７】
前記キャパシタ充電回路は、前記選択モードに基づいて２以上の高電力供給電圧から前記キャパシタ充電回路の高電力供給電圧を選択するべく構成された複数の高電力供給選択スイッチを含む請求項１４の無線周波数システム。
【請求項１８】
前記クロック発生回路は、
第１クロック信号を発生させるべく構成された第１クロック発生器と、
前記第１クロック信号よりも低速の発振周波数を有する第２クロック信号を発生させるべく構成された第２クロック発生器と、
前記第１クロック信号及び前記第２クロック信号を含む複数のクロック信号の中から一つを選択することに基づいて前記チャージポンプクロック信号を発生させるクロック選択回路と
を含む請求項１４の無線周波数システム。
【請求項１９】
前記２以上のモードは少なくとも３つのモードを含む請求項１４の無線周波数システム。
【請求項２０】
前記キャパシタ充電回路はさらに、前記第２位相の間に前記第１スイッチトキャパシタの第２端をチャージポンプ出力に電気的に接続するべく構成されるとともに、前記第１位相の間に前記第２スイッチトキャパシタの第２端を前記チャージポンプ出力に電気的に接続するべく構成される請求項１４の無線周波数システム。